(57)【特許請求の範囲】
【請求項１】
複数の絶縁体排除導体に電気的に接続する複数の電線を終端接続するための電気式コネクタであって、絶縁性のハウジングと、横方向に間隔をあけて設けられた複数の導体とを備えており、前記導体は、一端に設けられた絶縁体排除接点（ＩＤＣ）部と、第２の端に設けられた平坦なブレード部と、前記絶縁体排除接点（ＩＤＣ）部と前記平坦なブレード部との間を伸長する中間部とを備えており、隣接する導体の前記中間部は、交互に、短い長さになったり、長い長さになっており、隣接する導体の前記中間部は、垂直方向に間隔をあけて設けられた平面上を、前記ブレード部から後方に向けて伸長しており、その結果、各導体が他の導体から受けるノイズが実質的にバランスされているようにしたことを特徴とする電気式コネクタ。
【請求項２】
請求項１に記載の電気式コネクタにおいて、隣接する導体の前記ＩＤＣ部は、下面にあり、しかし、長手方向にずらされて２列になっていることを特徴とする電気式コネクタ。
【請求項３】
請求項１に記載の電気式コネクタにおいて、長さのより長い導体は、前記ブレード部から後方に向けて前記下面に沿って伸長していることを特徴とする電気式コネクタ。
【請求項４】
請求項１に記載の電気式コネクタにおいて、前記長さの短い導体は、おおよそ０．４４７インチ（約１１．３５ｍｍ）の長さがあり、前記長さの長い導体は、おおよそ０．７４７インチ（約１８．９７ｍｍ）の長さがあることを特徴とする電気式コネクタ。
【請求項５】
請求項１に記載の電気式コネクタにおいて、前記ハウジングは、導体ハウジングセクションと、該導体ハウジングセクションに嵌合可能な電線ハウジングセクションとを備えた２部品のハウジングであり、前記電線ハウジングセクションは、複数の電線保持用のスロットと、前記電線保持用のスロットの前端に設けられた角度の付いた前面とを備えていることを特徴とする電気式コネクタ。
【請求項６】
請求項１に記載の電気式コネクタにおいて、前記ハウジングは、前方スナップと後方スナップとによって、電線ハウジングセクションに嵌合可能な導体ハウジングセクションを備えた２部品のハウジングとなっており、前記前方スナップは、前記電線ハウジングセクションに電線が取り付けられる間、前記電線との干渉を避けることができるように、前記導体ハウジングセクションに設けられていることを特徴とする電気式コネクタ。
【請求項７】
複数の絶縁体排除導体に電気的に接続する複数の電線を終端接続するためのパッチコードコネクタであって、ほぼ平行に横方向に間隔をあけて設けられた複数の導体を備えており、前記複数の導体は、絶緑性のハウジング内で、隣接する複数対の導体に配置されており、少なくとも一対の導体は、送信用の一対の導体であり、少なくとも一対の導体は、受信用の一対の導体であり、各対の導体を構成するそれぞれの導体の長さは、互い違いになっており、隣接する導体の中間部は、実質的に下面または上面に、交互に配置されており、その結果、最も近い送信用の導体から受信用の導体の各々によって受信されたノイズは、実質的にバランスされていることを特徴とするパッチコードコネクタ。
【請求項８】
請求項７に記載のパッチコードコネクタにおいて、各対の導体の一方の導体は、当該対の導体の他方の導体よりも長くなっており、また、当該対の導体に隣接する一対の導体のうち隣り合う導体よりも長くなっていることを特徴とするパッチコードコネクタ。
【請求項９】
請求項７に記載のパッチコードコネクタにおいて、長さのより長い導体の中間部は、当該導体の前方のブレード部の底部端から後方に向けて伸長しており、長さのより短い導体の中間部は、当該導体の前方のブレード部の頂部端から後方に向けて伸長していることを特徴とするパッチコードコネクタ。
【発明の詳細な説明】
技術分野
本願発明は、電気式コネクタに関し、特に、カテゴリー５が要求される性能を達成し且つ容易に終端接続可能な交差接続システム用のパッチコードコネクタに関する。
発明の背景
交差接続の配線システムは周知であり、パネルまたは配線ブロックを備えている。前記パネルまたは配線ブロックは、ケーブルと終端接続する。前記パネルまたは配線ブロックは、また、パッチコードコネクタと相互連結可能な端を備えている。これらの交差接続システムは、配線クロゼットで見つけることができるように、概ね、引込み用の配線システムの配線ブロックと、引出し用の配線システムの配線ブロックとの間を接続するのに用いられている。前記１１０システムパッチコードコネクタは、概ね、複数の電線（ワイヤ）を保持するケーブルに終端接続し、配線ブロックまたはパネルに設けられた１１０ー形式のコネクタに接続する。より高いデータ転送率が用いられているばかりでなく、ネットワーク上でのユーザの数が最近増加することによって、漏話の影響を減少させてカテゴリー５の性能を達成することができる交差接続システムと一緒に使用可能な電気式コネクタを設計することが必要になってきている。一例は、Ｂａｋｅｒ，ＩＩＩなどに付与されＡＴ＆Ｔ  Ｂｅｌｌ研究所に譲渡された米国特許第５，２２６，８３５号の従来技術のパッチコードコネクタに見ることができる。このＡＴ＆Ｔ特許は、交差する隣接接点を用いて、隣接する複数対の間の漏話を減少させるのに役立っている。適切な交差を達成させるのに要求される曲げ加工を用いると、導体の製造工程がより困難になり、また、組立作業がより複雑になる。さらに、導体の曲げ加工部を特別に置き且つ伸長させることによって、接続の間に座屈がより生じ易くなり、パッチコードコネクタの接続が切り離される結果になっていた。
そのため、交差接続システムに関するパッチコードコネクタを設計する技術の改良が、依然、希求されている。
発明の概要
そのため、本願発明の目的は、改良された交差接続システムのパッチコードコネクタを提供することである。
さらに、本願発明の目的は、カテゴリー５の性能を達成する改良されたパッチコードコネクタを提供することである。
さらに、本願発明の目的は、工場や現場でより簡単に終端接続可能にしたパッチコードコネクタを提供することである。
概して、本願発明の電気式コネクタは、絶縁性のハウジングと複数の導体とを備えている。前記複数の導体は、前記ハウジング内に置かれる。前記導体は、該ハウジングの出力端に配置された概ね平坦なブレード部と、中間部と、個々の電線を受け入れるための絶縁体排除接点（ＩＤＣ）部とを備えている。隣接する導体の前記中間部は、実質的に下面または上面に交互に置かれ、交互により短い長さまたはより長い長さになっている。
【図面の簡単な説明】
図１は、本願発明のパッチコードコネクタの斜視図である。
図２は、図１のパッチコードコネクタの正面の端面図である。
図３は、図１のパッチコードコネクタの分解斜視図である。
図４は、図１のパッチコードコネクタの導体用ハウジングの平面図である。
図５は、本願発明に係わる、パッチコードコネクタの２対の導体の配置構造の平面図である。
図６は、図５の導体の側面図である。
図７は、図１のパッチコードコネクタの配線ハウジングの下面の平面図である。
図８は、図７の線８−８に沿って取った配線溝の一部の断面図である。
図９は、図４の線９−９に沿って取った断面図である。
図１０は、図１の線１０−１０に沿って取った側断面図である。
図１１は、図１の線１１−１１に沿って取った側断面図である。
好適な実施例の説明
本願発明の考えを具体化したパッチコードコネクタの全体が、添付図面の参照符号１０によって示されている。図１及び図３に示されたように、パッチコードコネクタ１０は、一対の嵌合可能なハウジングセクションを備えている。かかる一対の嵌合可能なハウジングセクションは、底部導体ハウジングセクション１２と、頂部電線ハウジングセクション１４とからなっている。頂部電線ハウジングセクション１４は、例えば、難燃性のポリカーボネート樹脂（ｆｌａｍｅ  ｒｅｔａｒｄａｎｔ  ｐｏｌｙｃａｒｂｏｎａｔｅ  ｒｅｓｉｇｎ）によって形成されている。パッチコードコネクタ１０は、ケーブル７０を、ハウジングの入力端３０で終端接続している。パッチコードコネクタ１０は、導体１６を備えている。導体１６の端部は、ハウジングの出力端３２に位置決めされている。ハウジングの出力端３２に位置決めされた導体１６の端部は、配線ブロックパッチパネル（図示せず）に設けられた絶縁体排除接点に相互連結される。
図３に最も良く図示されているように、導体ハウジングセクション１２は、複数の導体１６を備えている。導体１６は、ハウジングの出力端３２に配置されるほぼ平坦なブレード部１８と、中間部２０と、ケーブル７０を構成する複数の電線のうち個々の電線を受け入れる絶縁体排除接点（ｉｎｓｕｌａｔｉｏｎ  ｄｉｓｐｌａｃｅｍｅｎｔ  ｃｏｎｔａｃｔ  すなわち、ＩＤＣ）部２２とを備えている。導体１６は、工場で、それぞれの導体スロット２４に挿入され且つ強固に埋設されている。導体の絶縁体排除接点部２２は、前方支持体２６及び後方支持体２８によって、接続ブロックＩＤＣ（図示せず）との嵌合から生じる力に抗して支持されている。前方支持体２６と後方支持体２８は、底部導体ハウジングセクション１２に形成されている。中間部２０は、絶縁体排除接点部２２の近くに小さな突出部３４を備えている。突出部３４は、導体１６の全てを、頂部電線ハウジングセクション１４の空間的拘束部内に嵌合させるために必要になっている。導体のブレード部１８は、圧印加工された圧印加工領域３６を備えている。圧印加工領域３６は、４５°の斜面に形成されている。これによって、パッチコード導体１６は、コネクタブロックのＩＤＣ（図示せず）内に容易に挿入できる。
図３及び図４に示されているように、導体１６は、より長い中間部とより短い中間部とが交互になるように並べられている。導体１６は、また、実質的に下面に沿って伸長する中間部と、実質的に上面に沿って伸長する中間部とが交互になるように並べられている。より長い導体１６は、平坦なブレード接点の底部側から下面に沿って後方に向けて伸長している。一方、より短い導体１６は、ブレード部１８の頂部側から上面に沿って後方に向けて伸長している。より長い導体１６の中間部２０は、円錐形の窪み５４を備えている。円錐形の窪み５４は、当該導体１６をスロット２４内でしっかりと保持させるのに役立っている。より短い導体１６は、さらに、保持用膨出部５６によって、導体用のスロット２４に固定されている。保持用膨出部５６は、プラグ１０のスロットの頂部前方領域に形成されている。
図７に最も良く示されているように、パッチコードコネクタ１０は、最初に、ケーブル７０の端のその外被を剥ぎ取り、ケーブル７０を保護リブ３８内にパチンと嵌合（スナップ式に嵌合）させ、頂部電線ハウジングセクション１４に形成された保持用クリップ４０で保持することによって、工場や現場で終端接続処理される。次いで、個々の電線４２が、それぞれの電線スロット４４内に供給され、これによって、一時的に、電線４２が固定されている。図８に最も良く示されているように、余分な電線は、次いで、頂部ワイヤハウジングセクション１４の角度の付いた前方部４６と同一平面になるように切り取られる。角度の付いた面４６によって、電線４２がその面４６からわずかに突出して切り取られた場合でも、組立の際に、電線４２は頂部電線ハウジングセクション１４に干渉しない。電線４２が切り取られると、頂部電線ハウジングセクション１４は、底部導体ハウジングセクション１２にパチンと嵌合される。この作用によって、絶縁体排除接点部（ＩＤＣ部）２２は、電線の絶縁体構成連続部を貫通する。ひずみ開放構造体４８は、ケーブル７０を挟持し、接続及び切り離しの間に、電線４２上に生じる応力を除去することができる。
本願発明のパッチコードコネクタ１０は、独特の導体形成を備えている。この独特の導体形状は、平行配置された複数対の導体間の相対距離を使用して、漏話の影響を減少させることができるように具体的に設計されている。一般的に、漏話は、導体が互いに対して近接して平行に配置された場合に、増大する。さらに、隣接する導体部の表面積が大きくなればなるほど、近くの導体部分によって拾われる漏話は増大する。
標準のパッチコードコネクタは、隣接した複数対の導体を備えた複数の導体を含んでいる。一般的に、一対の導体は、送信用として用いられており、第２の一対の導体は、受信用として用いられている。一対の送信用の導体の各々はノイズを放射し、一方、一対の受信用の導体の各々は、前記送信用の導体の各々から前記ノイズを拾う。前記複数対の導体の間での漏話は、導体間の距離を増やすことによって、あるいは、前記送信用の導体から発生し前記受信用の導体の各々によって拾われるノイズの量をバランスさせることによって、最小限にすることができる。一対の導体をバランスさせた場合、前記受信用の導体は、前記送信用の導体の各々から同じ量のノイズを拾う。これによって、前記複数対の導体の間での漏話は減少する。といのは、同じ量のノイズが、受信用の両導体によって拾われることで、ノイズがキャンセル（相殺）されるからである。
ハウジングが設けられていない２対の導体を示している図５及び図６に最も良く示されているように、提案された導体形状が、具体的に設計されており、これにより、一対の送信用の導体と一対の受信用の導体との間で漏話をバランスさせることによって、漏話の影響を減少できるようになっている。図面において、一対の送信用の導体は、導体Ｔ−１及びＴ−２によって示されており、一対の受信用の導体は、導体Ｒ−３及びＲ−４として示されている。図６に示されているように、隣接する導体の中間部２０は、異なった２つの平面上を実質的に延びている。この状態では、より短い導体は、ブレード部１８の頂部端から後方に向けて伸長して、主に、上面に配置されている。一方、より長い導体は、平坦なブレード部１８の底部端から後方に向けて伸長して、主に、下面に配置されている。これによって、すぐ近くに隣接する複数対の導体間のノイズを全体にわたって減少させることができる。隣接する導体を分離することによって、隣接する導体によって拾われるノイズを減少させることができる。
そのため、より長い導体を交互に並べたので、送信用の導体Ｔ−２から受信用の導体Ｒ−３及びＲ−４によって拾われるノイズがバランスして、漏話の影響を減少させることができる。すなわち、受信用の導体Ｒ−３の平坦なブレード部１８と、受信用の導体Ｒ−３の絶縁体排除接点部２２の近くにある小さな中間部２０とは、受信用の導体Ｒ−４の同様な部分が送信用の導体Ｔ−２の隣接する部分に接近するよりも、当該送信用の導体Ｔ−２の隣接する部分にきわめて接近している。そのため、受信用の導体Ｒ−４を変更することなく、送信用の導体Ｔ−２から受信用の導体Ｒ−３によって拾われたノイズは、送信用の導体Ｔ−２から受信用の導体Ｒ−４によって拾われたノイズよりも実質的に高くなっている。しかしながら、送信用の導体Ｔ−２と受信用の導体Ｒ−４との間で平行に延びている余分の長さの部分が、送信用の導体Ｔ−２と受信用の導体Ｒ−４との間のノイズを増大させ、これによって、送信用の導体Ｔ−２から受信用の導体Ｒ−４によって拾われたノイズは、送信用の導体Ｔ−２から受信用の導体Ｒ−３によって拾われたノイズに近づくことになる。そのため、隣接する送信用の導体の中間部と受信用の導体の中間部とを、間隔をあけた平面に設けることによって、すぐ近くで隣接する送信用の導体Ｔ−２と受信用の導体Ｒ−３の漏話の全体的な影響は、最小になる。送信用の導体Ｔ−２の中間部２０と受信用の導体Ｒ−４の中間部２０とを一緒により長い平行な伸長部に亘って延ばしてバランスさせることによって、漏話は、送信用の導体Ｔ−２と受信用の導体Ｒ−４との間で増加する。
図５の「Ｂ」によって示されたように好適な実施例においてより短い導体の長さは０．４４７インチ（約１１．３５ｍｍ）になっている。そのため、漏話を適切にバランスさせるために、より長い導体を「Ｃ」によって示されているように、０．３０インチ（約７．６２ｍｍ）だけより長くして、「Ａ」によって示される０．７４７インチ（約１８．９７ｍｍ）の長さにすべきであるということを実験を通して習得した。
受信用の導体によって拾われるノイズをバランスさせることによって、漏話を減少させることができるこの導体の配置構造は、前記パッチコードの一対の導体が送信用の一対の導体にかかわらず、また、前記パッチコードの一対の導体が受信用の一対の導体にかかわらず、有効である。
また、図３に示されているように、ひずみ開放構造体４８とキャビティ（空洞）６０とが、パッチコードコネクタの後部に設けられている。キャビティ６０には、頂部電線ハウジングセクション１４のスナップ（留め部）４０が挿入される。導体の間に設けられた前方スナップ６２によって、パッチコードアセンブリの前方部が一緒に固定されるようになっている。従前のパッチコードコネクタと同じように、前方スナップ（前方留め部）６２は、底部導体ハウジングセクション１２に設けられており、頂部電線ハウジングセクション１４に設けられていないことに注意することが重要である。この位置決めによって、スナップと干渉することなく、電線を頂部電線ハウジングセクション１４に迅速に取り付けることができる。案内ポスト６６を備える後方スナップ（後方留め部）６４は、底部導体ハウジングセクション１２に設けられた対応する開口部６８に係合することによって、プラグアセンブリの後方部を固定できる。
本願発明の特定の好適な実施例が図示され且つ説明されたが、当業者にとって、本願発明の開示から離れることなく変化及び変更を行うことは容易である。前記説明及び添付図面に示された事項は、具体例であって、これに限定されるものではない。本願発明の実際の範囲は、従来技術に基づいた適切な観点で見たとき、下記の請求項に定義されているように意図されている。
【図１】
0004142745.tif 000002
【図２】
0004142745.tif 000003
【図３】
0004142745.tif 000004
【図４】
0004142745.tif 000005
【図５】
0004142745.tif 000006
【図６】
0004142745.tif 000007
【図７】
0004142745.tif 000008
【図８】
0004142745.tif 000009
【図９】
0004142745.tif 000010
【図１０】
0004142745.tif 000011
【図１１】
0004142745.tif 000012